(57)【特許請求の範囲】
【請求項１】
底枠と、
該底枠上に敷設された底ガラス板と、
該底ガラス板の辺縁部上面に、間隔を開けて配置した厚さ２ｍｍ〜５ｍｍの弾性部材を介して立設された縦ガラス板とを含んでおり、
前記底枠は辺縁部に立ち上がり壁を有しており、該立ち上がり壁が前記底ガラス板の辺縁部側端面及び前記縦ガラス板の下端部外面を覆っており、前記底ガラス板の辺縁部上面とこれに対向する前記縦ガラス板の下端面との間の前記弾性部材により形成された間隙に弾性を有する接着剤が充填されていることを特徴とする水槽。
【請求項２】
前記充填された接着剤は、前記底枠の辺縁部立ち上がり壁と前記底ガラス板の辺縁部側端面及び前記縦ガラス板の下端部外面との間にまで入り込んでいる請求項１記載の水槽。
【請求項３】
前記弾性部材はシリコーンゴム製の弾性部材であり、前記接着剤はシリコーン樹脂系接着剤である請求項１又は２記載の水槽。
【請求項４】
底枠と、
該底枠上に敷設された底ガラス板と、
該底ガラス板の辺縁部側端面の外側において該底枠上面に、間隔を開けて配置した厚さ２ｍｍ〜５ｍｍの弾性部材を介して立設された縦ガラス板とを含んでおり、
前記底枠は辺縁部に立ち上がり壁を有しており、該立ち上がり壁が前記縦ガラス板の下端部外面を覆っており、前記底ガラス板の辺縁部側端面とこれに対向する前記縦ガラス板の下端部内面との間隙及び前記縦ガラス板の下端面と前記底枠上面との間の前記弾性部材により形成された間隙に弾性を有する接着剤が充填されていることを特徴とする水槽。
【請求項５】
前記充填された接着剤は、前記底枠の辺縁部立ち上がり壁と前記縦ガラス板の下端部外面との間にまで入り込んでいる請求項４記載の水槽。
【請求項６】
前記弾性部材はシリコーンゴム製の弾性部材であり、前記接着剤はシリコーン樹脂系接着剤である請求項４又は５記載の水槽。
【発明の詳細な説明】
【０００１】
【発明の属する技術分野】
本発明は主として動物、植物の観賞に供する水槽に関する。
【０００２】
【従来の技術】
動植物観賞用の水槽は、種々のタイプのものが知られているが、その中に、底枠と、該底枠上に敷設された底ガラス板と、該底ガラス板の辺縁部上面に立設された縦ガラス板とを含む水槽がある。
また、底枠と、該底枠上に敷設された底ガラス板と、該底ガラス板の辺縁部側端面の外側に立設された縦ガラス板とを含む水槽も知られている。
【０００３】
いずれの水槽においても、縦ガラス板は、一般的には、平坦なガラス板からなり、水槽の周側壁を形成するように平面視（平面から見ると）四角形状に配置、立設される。
また、底ガラス板を敷設した底枠は通常、辺縁部に立ち上がり壁を有している。底ガラス板の辺縁部上面に縦ガラス板を立設した水槽では、該立ち上がり壁が底ガラス板の辺縁部側端面と縦ガラス板の下端部外面を覆ってそれらを外部からの衝撃に対して保護している。底ガラス板の辺縁部側端面の外側に縦ガラス板を立設した水槽では、該立ち上がり壁が縦ガラス板の下端部外面を覆ってそれを外部からの衝撃に対して保護している。
【０００４】
さらに、前記いずれのタイプの水槽でも、水漏れ防止のために、水槽内側から、底ガラス板の辺縁部上面と縦ガラス板下端部内面とが交わるライン部分に接着剤が塗布されている。
【０００５】
【発明が解決しようとする課題】
しかしながら、底ガラス板の辺縁部上面に縦ガラス板を立設した水槽においては、該縦ガラス板は底ガラス板辺縁部の上面に直接立設されているため、また、底ガラス板の辺縁部側端面の外側に縦ガラス板を立設した水槽においては、縦ガラス板はその下端部内面が底ガラス板の辺縁部側端面に直接接触するように配置されるとともに底枠上面に直接立設されているので、いずれのタイプの水槽でもその組み立て、運搬、保管作業等においては、縦ガラス板の下端部や底ガラス板の辺縁部が強く衝撃を受けてそれらの一方又は双方が傷つくことがないように、水槽を注意深く扱わなければならず、それだけ水槽の組み立て、運搬、保管作業等が困難になっている。特に重量のある大型水槽では注意深く扱わなければならない。
【０００６】
また、前記いずれの水槽においても、水槽内側から、底ガラス板の辺縁部上面と縦ガラス板下端部内面とが交わるライン部分に水漏れ防止のための接着剤が塗布されているものの、その接着剤塗布が所定の厚さで均一に塗布されていないときには、水槽運搬時や水槽使用において例えば縦ガラス板にこれをずらそうとするような外力が加わるなどすると、該接着剤の剥がれや損傷が発生し、接着剤による水密性が切れることも考えられるので、かかる接着剤の塗布作業を注意深く行わなければならず、それだけ水槽組み立てに手間を要する。
【０００７】
そこで本発明は、底ガラス板の辺縁部上面に縦ガラス板を立設したタイプの水槽や底ガラス板の辺縁部側端面の外側に縦ガラス板を立設したタイプの水槽であって、水槽の組み立て、運搬、保管作業等においてそれらガラス板の損傷の危険性が少なく、それだけ水槽の組み立て、運搬、保管作業等を行い易く、また、水漏れが十分防止される状態に容易に水槽を組み立てることができ、長期にわたり水漏れの恐れがない水槽を提供することを課題とする。
【０００８】
【課題を解決するための手段】
本発明は前記課題を解決するため次の（１）及び（２）の二つのタイプの水槽を提供する。
（１）第１タイプの水槽
底枠と、
該底枠上に敷設された底ガラス板と、
該底ガラス板の辺縁部上面に、間隔を開けて配置した厚さ２ｍｍ〜５ｍｍの弾性部材を介して立設された縦ガラス板とを含んでおり、
前記底枠は辺縁部に立ち上がり壁を有しており、該立ち上がり壁が前記底ガラス板の辺縁部側端面及び前記縦ガラス板の下端部外面を覆っており、前記底ガラス板の辺縁部上面とこれに対向する前記縦ガラス板の下端面との間の前記弾性部材により形成された間隙に接着剤が充填されている水槽。
（２）第２タイプの水槽
底枠と、
該底枠上に敷設された底ガラス板と、
該底ガラス板の辺縁部側端面の外側において該底枠上面に、間隔を開けて配置した厚さ２ｍｍ〜５ｍｍの弾性部材を介して立設された縦ガラス板とを含んでおり、
前記底枠は辺縁部に立ち上がり壁を有しており、該立ち上がり壁が前記縦ガラス板の下端部外面を覆っており、前記底ガラス板の辺縁部側端面とこれに対向する前記縦ガラス板の下端部内面との間隙及び前記縦ガラス板の下端面と前記底枠上面との間の前記弾性部材により形成された間隙に接着剤が充填されている水槽。
【０００９】
本発明に係る第１タイプの水槽によると、底ガラス板の辺縁部上面に立設される縦ガラス板は、弾性部材を介して該底ガラス板の縁辺部上面に立設されるので、水槽の組み立て、運搬、保管作業等においてそれらガラス板の相互の衝突による損傷の危険性が少なく、小型水槽の場合は勿論のこと、たとえ大型水槽の場合でも、それだけ水槽の運搬、保管作業等を行い易い。
【００１０】
また、前記底ガラス板の辺縁部上面とこれに対向する前記縦ガラス板の下端面との間の前記弾性部材により形成された間隙に接着剤が充填されるので、そして該間隙への接着剤充填作業は水槽内側からたやすく、正確に行えるので、水漏れが十分防止される状態に容易に水槽を組み立てることができる。
また、前記底ガラス板の辺縁部上面とこれに対向する前記縦ガラス板の下端面との間の前記弾性部材により形成された間隙に接着剤がたやすく、正確に充填されるので、それだけ長期にわたり確実に水漏れが防止される。
【００１１】
本発明に係る第２タイプの水槽によると、底枠上面に立設される縦ガラス板は、弾性部材を介して該底枠上面に立設されるとともに底ガラス板の辺縁部側端面とこれに対向する縦ガラス板の下端部内面との間に接着剤充填のための間隙が設けられるので、水槽の組み立て、運搬、保管作業等において底ガラス板及び縦ガラス板相互の衝突や縦ガラス板と底枠相互の衝突によるガラス板損傷の危険性が少なく、小型水槽の場合は勿論のこと、たとえ大型水槽の場合でも、それだけ水槽の組み立て、運搬、保管作業等を行い易い。
【００１２】
また、底ガラス板の辺縁部側端面とこれに対向する縦ガラス板の下端部内面との間隙及び縦ガラス板の下端面と底枠上面との間の前記弾性部材により形成された間隙に接着剤が充填されるので、そしてそれら間隙への接着剤充填作業は水槽内側からたやすく、正確に行えるので、水漏れが十分防止される状態に容易に水槽を組み立てることができる。
【００１３】
また、底ガラス板の辺縁部側端面とこれに対向する縦ガラス板の下端部内面との間隙及び縦ガラス板の下端面と底枠上面との間の前記弾性部材により形成された間隙に接着剤がたやすく、正確に充填されるので、それだけ長期にわたり確実に水漏れが防止される。
本発明に係るいずれのタイプの水槽においても、前記縦ガラス板としては、種々のタイプのものを採用でき、その配置も種々のものを採用できる。例えば、平坦なガラス板からなり、水槽の周側壁を形成するように平面視（平面から見ると）四角形状に配置、立設したり、平面視コの字形状に配置、立設することができる。平面視コの字形状に配置、立設する場合、残る１側面は他の適当な板体で形成し、これらにより水槽の周側壁を形成してもよい。
【００１４】
この他、平面視湾曲形状の縦ガラス板や、平面視コの字形状の縦ガラス板を採用することもできる。
なお、前記第１タイプの水槽の場合、縦ガラス板は、その外面が、底ガラス板の辺縁部側端面より若干外側に位置するように配置されても、底ガラス板の辺縁部側端面と同じ面位置になるように配置されても、さらには底ガラス板の辺縁部側端面より水槽内側へ若干入り込む位置に配置されてもよい。
【００１５】
前記接着剤は耐水性を有し、水漏れ防止可能な接着剤であって、第１タイプの水槽では底ガラス板の辺縁部上面とこれに対向する縦ガラス板の下端面との間の前記弾性部材により形成された間隙に充填されていればよく、第２タイプの水槽では底ガラス板の辺縁部側端面と縦ガラス板の下端部内面との間隙及び縦ガラス板下端面と底枠上面との間の前記弾性部材により形成された間隙に充填されていればよいが、該充填された状態で弾性を有し、第１タイプの水槽では前記底枠の辺縁部立ち上がり壁と前記底ガラス板の辺縁部側端面及び前記縦ガラス板の下端部外面との間にまで入り込み、第２タイプの水槽では底枠の辺縁部立ち上がり壁と縦ガラス板の下端部外面との間にまで入り込んでいてもよい。
【００１６】
このように接着剤が弾性を有し、第１タイプの水槽で底枠の辺縁部立ち上がり壁と底ガラス板の辺縁部側端面及び縦ガラス板の下端部外面との間にまで入り込んでいたり、第２タイプの水槽で底枠の辺縁部立ち上がり壁と縦ガラス板の下端部外面との間にまで入り込んでいるときは、該底枠が冬季等において収縮するときでも、該接着剤がクッション材となって各ガラス板の割れ等の損傷発生を防止するに役立つ。
【００１７】
また、この場合、それには限定されないが、例えば前記弾性部材はシリコーンゴム製の弾性部材であり、前記接着剤はシリコーン樹脂系接着剤である場合を例示できる。これらは耐水性に優れているとともに、互いに馴染みがよく、従って長期にわたり確実に水漏れを防止できる。
【００１８】
【発明の実施の形態】
以下、本発明の実施の形態を図面を参照して説明する。
図１は、本発明に係る第１タイプの水槽の１例の斜視図である。図２は図１に示す水槽のＸ−Ｘ線に沿う断面図であり、図３は図１に示す水槽のＹ−Ｙ線に沿う断面図である。
【００１９】
図１から図３に示す水槽Ａは、矩形の板状底枠１と、底枠１上にシートＳを介して敷設された底ガラス板２と、底ガラス板２の辺縁部２１の上面に、間隔を開けて複数個配置した弾性部材３を介して立設された縦ガラス板４、５と、縦ガラス板４、５の上端部に嵌め付けられた上枠６とを備えている。
縦ガラス板４は平面視（平面から見て）コの字形状の透明ガラス板であり、縦ガラス板５は平坦な透明ガラス板である。縦ガラス板４と５とで水槽の周側壁が形成されている。それには限定されないが、ここでは縦ガラス板４、５の下端部４１、５１の外面は底ガラス板２の辺縁部側端面２１ａと同面位置に配置されている。
【００２０】
縦ガラス板４と５とが出会う両角部にはそれぞれ柱７が設けられており、この柱７は底枠１と上枠６とに渡し設けられている。
底枠１は辺縁部に立ち上がり周側壁１１を有しており、該立ち上がり壁１１は底ガラス板２の辺縁部側端面２１ａ及び縦ガラス板４、５の下端部４１、５１の外面を覆っている。
【００２１】
上枠６は開口部６１を有している。
弾性部材３は、それには限定されないが、ここでは耐水製に優れたシリコーンゴム製のもので小さい円板形状に形成されている。形状は円板形状に限定されるものではなく他の形状、例えば小さい四角板形状等に形成されていてもよい。
円板形状の弾性部材３の厚さは、それには限定されないが、ここでは縦ガラス板４、５のサイズや重量に応じて２〜５ｍｍ程度の範囲から選択される。
【００２２】
また直径は、厚さが３ｍｍ程度のときは２ｍｍ程度、厚さが４ｍｍ程度のときは３ｍｍ程度、厚さが５ｍｍ程度のときは４ｍｍ程度にされる。
この弾性部材３は装着前の状態では、片面に接着剤が塗布してあり、該接着剤面が離型シートで被覆されている。水槽を組み立てるにあたって該離型シートが剥がされ、接着剤で底ガラス板２の縁辺部２１の上面、又は縦ガラス板４、５の下端面に所定の間隔で接着され、その状態で底ガラス板２の縁辺部２１の上面と縦ガラス板４、５の下端面との間に容易に確実に介在せしめられる。
【００２３】
そして、水槽内側から塗布された接着剤８が、底ガラス板２の辺縁部２１の上面とこれに対向する縦ガラス板４、５の下端面との間の弾性部材３により形成された間隙に充填され、さらに底枠１の辺縁部立ち上がり壁１１と底ガラス板２の辺縁部側端面２１ａ及び縦ガラス板４、５の下端部４１、５１の外面との間にまで入り込むように充填されている。水槽内側では底ガラス板２の縁辺部２１の上面と縦ガラス板４、５の下端部４１、５１の内面とが交わるライン部分にも接着剤８が塗布されている。これら接着剤８は隙間無く連続している。
【００２４】
これら接着剤８に連続して同じ接着剤８が縦ガラス板４と５が出会う部分にも、水槽内側から柱７に沿って水密に塗布されている。
接着剤８はこのように充填された状態で弾性を有するシリコーン樹脂系接着剤である。
以上説明した水槽Ａによると、底ガラス板２の辺縁部２１の上面に立設される縦ガラス板４、５は、弾性部材３を介して該底ガラス板の縁辺部上面に立設されるので、水槽の組み立て、運搬、保管作業等においてそれらガラス板２と４、５の相互の衝突による損傷の危険性が少なく、小型水槽の場合は勿論のこと、たとえ大型水槽の場合でも、それだけ水槽の組み立て、運搬、保管作業等を行い易い。
【００２５】
底ガラス板２の辺縁部２１の上面とこれに対向する縦ガラス板４、５の下端面との間の弾性部材３により形成された間隙に接着剤８が充填されるので、そして該間隙への接着剤充填作業は水槽内側からたやすく、正確に行えるので、水漏れが十分防止される状態に容易に水槽を組み立てることができる。
さらここでは、弾性を有する接着剤８が該間隙だけでなく、底ガラス板２の辺縁部側端面２１ａ及び縦ガラス板４、５の下端部４１、５１の外面と底枠立ち上がり壁１１との間にまで充填されているので、一層確実に水漏れが防止されるとともに、底枠１が冬季等において収縮するときでも、接着剤８がクッション材となって各ガラス板の割れ等の損傷発生を防止することができる。
【００２６】
また、弾性部材３はシリコーンゴム製の弾性部材であり、接着剤８はシリコーン樹脂系接着剤であり、これらは耐水性に優れているとともに、互いに馴染みがよく、従って長期にわたり確実に水漏れを防止できる。
次に図４から図６を参照して本発明に係る第２タイプの水槽の１例について説明する。
【００２７】
図４は、本発明に係る第２タイプの水槽の１例の斜視図である。図５は図４に示す水槽のＸ’−Ｘ’線に沿う断面図であり、図６は図４に示す水槽のＹ’−Ｙ’線に沿う断面図である。
図４から図６に示す水槽Ｂは、矩形の板状底枠１’と、底枠１’上にシートＳ’を介して敷設された底ガラス板２’と、底ガラス板２’の辺縁部２１’の側端面２１ａ’の外側において底枠１’の上面１ａ’に、間隔を開けて配置した弾性部材３を介して立設された縦ガラス板４、５と、縦ガラス板４、５の上端部に嵌め付けられた上枠６と、縦ガラス板４、５が出会う部位に立設された柱７とを備えている。
【００２８】
底枠１’、シートＳ’及び底ガラス板２’はサイズが少し小さくなっている点を除けば、水槽Ａにおけるものと同様のものである。弾性部材３、縦ガラス板４、５、上枠６及び柱７はそれぞれ水槽Ａにおけるものと同様のものである。
そして、水槽内側から塗布された水槽Ａにおけると同じ接着剤８が、底ガラス板２’の辺縁部側端面２１ａ’とこれに対向する縦ガラス板４、５の下端部４１、５１の内面との間隙、さらにはそこから縦ガラス板４、５の下端面と底枠１’の上面１ａ’との間の弾性部材３により形成された間隙に充填され、さらに底枠１’の辺縁部立ち上がり壁１１’と縦ガラス板４、５の下端部４１、５１の外面との間にまで入り込むように充填されている。水槽内側では底ガラス板２’の辺縁部２１の上面と縦ガラス板４、５の下端部４１、５１の内面とが交わるライン部分にも接着剤８が塗布されている。これら接着剤８は隙間無く連続している。また、これら接着剤８に連続して同じ接着剤８が縦ガラス板４と５が出会う部分にも、水槽内側から柱７に沿って水密に塗布されている。
【００２９】
以上説明した水槽Ｂによると、底枠１’の上面１ａ’に立設される縦ガラス板４、５は、弾性部材３を介して該底枠上面１ａ’に立設されるとともに底ガラス板２’の辺縁部側端面２１ａ’と縦ガラス板４、５の下端部４１、５１の内面との間には接着剤充填のための間隙が設けられるので、水槽の組み立て、運搬、保管作業等においてそれら縦ガラス板４、５と底ガラス板２’との相互衝突や、縦ガラス板４、５と底枠上面１ａ’との相互の衝突によるガラス板損傷の危険性が少なく、小型水槽の場合は勿論のこと、たとえ大型水槽の場合でも、それだけ水槽の組み立て、運搬、保管作業等を行い易い。
【００３０】
底ガラス板２’の辺縁部側端面２１ａ’とこれに対向する縦ガラス板４、５の下端部４１、５１の内面との間隙、及び縦ガラス板４、５の下端面と底枠上面１ａ’との間の弾性部材３により形成された間隙に接着剤８が充填されるので、そして該間隙への接着剤充填作業は水槽内側からたやすく、正確に行えるので、水漏れが十分防止される状態に容易に水槽を組み立てることができる。
【００３１】
さらここでは弾性を有する接着剤８が該間隙だけでなく、縦ガラス板４、５の下端部４１、５１の外面と底枠１’の辺縁部立ち上がり壁１１’との間にまで充填されているので、一層確実に水漏れを防止できるとともに、底枠１’が冬季等において収縮するときでも、接着剤８がクッション材となって各ガラス板の割れ等の損傷発生を防止することができる。
【００３２】
また、弾性部材３はシリコーンゴム製の弾性部材であり、接着剤８はシリコーン樹脂系接着剤であり、これらは耐水性に優れているとともに、互いに馴染みがよく、従って長期にわたり確実に水漏れを防止できる。
【００３３】
【発明の効果】
本発明によると、底ガラス板の縁辺部上面に縦ガラス板を立設したタイプの水槽や底ガラス板の辺縁部側端面の外側に縦ガラス板を立設したタイプの水槽であって、水槽の組み立て、運搬、保管作業等においてそれらガラス板の損傷の危険性が少なく、それだけ水槽の組み立て、運搬、保管作業等を行い易く、また、水漏れが十分防止される状態に容易に水槽を組み立てることができ、長期にわたり水漏れの恐れがない水槽を提供することができる。
【図面の簡単な説明】
【図１】本発明に係る第１タイプの水槽の１例の斜視図である。
【図２】図１に示す水槽のＸ−Ｘ線に沿う断面図である。
【図３】図１に示す水槽のＹ−Ｙ線に沿う断面図である。
【図４】本発明に係る第２タイプの水槽の１例の斜視図である。
【図５】図４に示す水槽のＸ’−Ｘ’線に沿う断面図である。
【図６】図４に示す水槽のＹ’−Ｙ’線に沿う断面図である。
【符号の説明】
Ａ、Ｂ  水槽
１、１’  底枠
１ａ’  底枠１’の辺縁部上面
１１、１１’  底枠の辺縁部立ち上がり壁
２、２’  底ガラス板
２１、２１’  底ガラス板の辺縁部
２１ａ、２１ａ’  底ガラス板辺縁部側端面
３  弾性部材
４、５  縦ガラス板
４１、５１  縦ガラス板の下端部
６  上枠
７  柱
８  接着剤
【図１】
0003805086.tif 000002
【図２】
0003805086.tif 000003
【図３】
0003805086.tif 000004
【図４】
0003805086.tif 000005
【図５】
0003805086.tif 000006
【図６】
0003805086.tif 000007